(57)【特許請求の範囲】
【請求項１】
カード状媒体の収納部を有し、この収納部に手動操作により挿入装着された前記カード状媒体を電動操作により押し出して抜き取りを可能とする排出機構を備えたカード状媒体のリード／ライト装置において、
前記カード状媒体を挿脱する前記収納部の開口部近傍に、前記排出機構と連動して開閉が可能なプロテクト部材を設け、開放位置では前記カード状媒体の挿脱が自由で、閉成位置では前記カード状媒体の排出を抑止するようにすると共に、
前記排出機構が、前記カード状媒体の挿入側端面に係合する突出部を備えたホルダと、このホルダと連動する押出部材と、この押出部材と押出方向にのみ係合する突起、および、電動駆動されるピニオンと噛合するラックを備え直線的に駆動されるシフトプレートとからなり、このシフトプレートに設けたカム溝に前記プロテクト部材を係合して制御するようにしたカード状媒体の抜取防止機構。
【請求項２】
カード状媒体の収納部を有し、この収納部に手動操作により挿入装着された前記カード状媒体を電動操作により押し出して抜き取りを可能とする排出機構を備えたカード状媒体のリード／ライト装置において、
前記カード状媒体を挿脱する前記収納部の開口部近傍に、前記排出機構と連動して開閉が可能なプロテクト部材を設け、開放位置では前記カード状媒体の挿脱が自由で、閉成位置では前記カード状媒体の排出を抑止するようにすると共に、
前記排出機構が、前記カード状媒体の挿入側端面に係合する突出部を備えたホルダと、前記収納部のフレームに枢支され、前記ホルダに立設した突起と押出方向にのみ係合し、電動駆動されるピニオンと噛合する扇形ラックにより揺動されるシフトプレートとからなり、このシフトプレートに設けたカム溝に前記プロテクト部材を係合して制御するようにしたカード状媒体の抜取防止機構。
【請求項３】
カード状媒体の収納部を有し、この収納部に手動操作により挿入装着された前記カード状媒体を電動操作により押し出して抜き取りを可能とする排出機構を備えたカード状媒体のリード／ライト装置において、
前記カード状媒体を挿脱する前記収納部の開口部近傍に、前記排出機構と連動して開閉が可能なプロテクト部材を設け、開放位置では前記カード状媒体の挿脱が自由で、閉成位置では前記カード状媒体の排出を抑止するようにすると共に、
前記排出機構が、前記カード状媒体の挿入側端面に係合する突出部を備え、前記収納部のフレームに枢支された押出部材と、この押出部材に立設した駆動突起と押出方向にのみ係合し、電動駆動されるピニオンと噛合する扇形ラックにより揺動されるシフトプレートとからなり、このシフトプレートに設けたカム溝に前記プロテクト部材を係合して制御するようにしたカード状媒体の抜取防止機構。
【請求項４】
前記プロテクト部材を前記カード状媒体の両側に設けた請求項１から３のいずれかに記載のカード状媒体の抜取防止機構。
【請求項５】
前記カード状媒体の装着完了を検知するスイッチ手段と、前記プロテクト手段が閉成位置にあることを検知するスイッチ手段と、前記カード状媒体の排出完了を検知するスイッチ手段と、前記カード状媒体が挿脱可能であることを検知するスイッチ手段とを備えた請求項１から４のいずれかに記載のカード状媒体の抜取防止機構。
【発明の詳細な説明】
【０００１】
【産業上の利用分野】
本発明は、パーソナルコンピュータ等のリード／ライト装置におけるカード状媒体、特にＩＣカード（以下単にカードという）の収納部に関し、より具体的には収納部からカードを抜き取るための機構に係わる。
【０００２】
【従来の技術】
従来、パーソナルコンピュータ等においてカードの装着および抜取りは、一般に手動で行われており、オペレータは、必要に応じて随時カードの挿脱を行うことができ、また特に不測の抜取りに対してこれを防止するような手段は設けられていない。
【０００３】
【発明が解決しようとする課題】
しかしながら、このような従来の手動によるカードの着脱機構では、盗難に対しては無防備であり、特に抜取り操作がカードメモリ内の信号出入れ中にも可能であるため、メモリ内容を破壊するおそれがある。従って、容易に手動操作で抜き取れないような装置を設けることが好ましい。本発明の目的は、カードの排出操作を電動で行うとともに、抜取りを不能にするプロテクト操作を電動で行う機構の提供である。
【０００４】
【課題を解決するための手段】
上記の目的を達成するために本発明の構成は、カードの収納部を有し、この収納部に手動操作により挿入装着された前記カードを電動操作により押し出して抜き取りを可能とする排出機構を備えたカードのリード／ライト装置において、前記カードを挿脱する前記収納部の開口部近傍に、前記排出機構と連動して開閉が可能なプロテクト部材を設け、開放位置では前記カードの挿脱が自由で、閉成位置では前記カードの排出を抑止するようにした。
【０００６】
上記排出機構は、前記カードの挿入側端面に係合する突出部を備えたホルダと、このホルダと連動する押出部材と、この押出部材と押出方向にのみ係合する突起、および、電動駆動されるピニオンと噛合するラックを備え直線的に駆動されるシフトプレートとから構成し、このシフトプレートに設けたカム溝に前記プロテクト部材を係合して制御するようにするとよい。
【０００７】
また、前記排出機構を、前記カードの挿入側端面に係合する突出部を備えたホルダと、前記収納部のフレームに枢支され、前記ホルダに立設した突起と押出方向にのみ係合し、電動駆動されるピニオンと噛合する扇形ラックにより揺動されるシフトプレートとから構成し、このシフトプレートに設けたカム溝に前記プロテクト部材を係合して制御するようにしてもよい。
【０００８】
また、前記排出機構を、前記カードの挿入側端面に係合する突出部を備え、前記収納部のフレームに枢支された押出部材と、この押出部材に立設した駆動突起と押出方向にのみ係合し、電動駆動されるピニオンと噛合する扇形ラックにより揺動されるシフトプレートとから構成し、このシフトプレートに設けたカム溝に前記プロテクト部材を係合して制御するようにしてもよい。
【０００９】
前記プロテクト部材は前記カードの両側に設けると好適である。さらには、前記カードの装着完了を検知するスイッチ手段と、前記プロテクト手段が閉成位置にあることを検知するスイッチ手段と、前記カードの排出完了を検知するスイッチ手段と、前記カードが挿脱可能であることを検知するスイッチ手段とが備えられる。
【００１０】
【作用】
本発明は、上記の構成により、カードは手動操作で収納部に装着され、コネクタ端子を介して電気的な接続を達成する。この手動操作の機構部分と電動駆動による機構部分とは電動駆動機構部分が押出方向に作動するときのみ係合するので、電動駆動機構が機能していないときは、随時手動操作でカードを挿脱することができる。
【００１１】
一方、プロテクト手段は、閉成位置においてカードの排出を抑止するもので、プロテクト手段の開閉は電動でのみ可能である。従って、一旦プロテクト手段を閉成すると、手動操作によるカード抜取りは不可能となる。プロテクト手段閉成後のカード排出はプロテクト手段開放からカード排出まで、作動の各段階を検知するスイッチ手段に基づいて一連の電気的シーケンスにより自動的に行うことができる。
【００１２】
図１１は、各スイッチ手段の作動を示すフローチャートである。ステップ１はカードが挿入されていない初期状態で、カード装着完了を検知するスイッチ（Ｓ１）、プロテクト手段の閉成を検知するスイッチ（Ｓ２）、カードの排出完了を検知するスイッチ（Ｓ３）およびカードが挿脱可能であることを検知するスイッチ（Ｓ４）の全てが不作動状態にある。
【００１３】
ステップ２でカードの装着が行われ、Ｓ１が作動状態となり、Ｓ２，Ｓ３およびＳ４は不作動のままである。ステップ３で操作盤よりプロテクト手段を閉成させる信号を送り、モータを順転させるとＳ４は作動状態になり、モータ回路に参加する。Ｓ１は作動状態を保持するが、Ｓ２，Ｓ３は不作動のままである。ステップ４でプロテクト手段の閉成完了とともにＳ２が作動し、モータの回転は停止される。このとき、Ｓ１，Ｓ４は作動状態を続け、Ｓ３は不作動のままである。
【００１４】
ステップ５でカードを排出する信号を操作盤より送出する。モータが逆転されるとともに、Ｓ４の作動を無視するジャンパ回路設定がされる。モータ逆転後、機械的推移時間のタイムラグを経て、Ｓ２は不作動となる。Ｓ１は作動、Ｓ３は不作動のままである。Ｓ４は、一時期不作動状態となるがジャンパ回路が設定されているので、この不作動は電気的に無視される。
【００１５】
ステップ６でカード排出が完了してＳ３が作動すると、モータは逆転から順転に切り替えられ、Ｓ４のジャンパ回路は解消される。機械的推移時間のタイムラグを経て、Ｓ１，Ｓ３は不作動となる。Ｓ２は不作動で、Ｓ４は作動状態にありモータ回路を維持する。ステップ７でＳ４が不作動になるとモータが停止してステップ１の初期状態に戻る。図中に示されたＯＮ，ＯＦＦの符号は機械的な作動、不作動を示すもので電気的回路の接、断を示すものではない。
【００１６】
【実施例】
以下に本発明に係わるカード状媒体の抜取防止機構の実施例を図面に基づいて説明する。図１〜図３は本発明に係わるカード状媒体の抜取防止機構の第１実施例について主要部分を示したものである。図１はカード１０を手動操作によりコネクタ１１に押入し、電気接点の接続を完了した状態を示す。１２はカード１０を受容するホルダで、カード収納部に設けたガイド１３に沿って摺動する。１４はホルダ１２の内部に突出してカード１０の挿入側端縁１５と係合するようにホルダの端部を折り曲げて立設した突出部である。
【００１７】
１６はホルダ１２の片面に固設した作動軸で、押出部材１８の一方の腕１９に設けた長孔２０に摺動自在に嵌合している。押出部材１８は支軸２１の周りに回動自在であり、腕１９の反対側に作動腕２２が延在する。２３は作動腕２２に係合する駆動ピンでシフトプレート２４に立設されている。２５はシフトプレート２４に穿設された直線案内溝で固定ピン２６が嵌挿され、ガイド２７，２８と協働してシフトプレート２４を直線的に移動させる。２９はシフトプレート２４の一辺に形成した直線状ラックでピニオン３０と噛合する。ピニオン３０はモータ３１により適当な歯車列３２を介して駆動される。
【００１８】
３３はクランク状カム溝で、プロテクト部材を構成する主動プロテクトアーム３４に立設された作動ピン３５を案内する。主動プロテクトアーム３４は支軸３６の周りに回動自在であり、カム溝３３内の作動ピン３５の位置により揺動され、作動ピン３５が内側のカム溝３７内に位置するときは、カード１０の通路は開放されており、外側のカム溝３８内に位置するときは、主動プロテクトアーム３４の鈎爪部分３９がカード１０の後縁肩部４０に係合して、カード１０の抜取りを阻止する（図２参照）。
【００１９】
４１はスイッチ（Ｓ１）で、アクチュエータ４２がＬ字型カム４３の作動腕４４で押圧されると、カード１０の装着完了信号を送出する。Ｌ字型カム４３は、図示しない捩じりコイルバネによって図中時計方向に付勢されていて、作動腕４４は常時アクチュエータ４２から離間した位置に保たれる。押出部材の作動腕２２がＬ字型カム４３の操作腕４５に立設した作用ピン４６を押動することにより、作動腕４４は回動されて、アクチュエータ４２を作動する。
【００２０】
４８はスイッチ（Ｓ２）で、シフトプレート２４の段差部４９にアクチュエータ５０が押動されることによりプロテクトアーム３４が機能中であることを検知する。５１はスイッチ（Ｓ３）で、シフトプレート２４の前縁部５２にアクチュエータ５３が押動されることにより、カード１０の排出完了信号を送出する。５４はスイッチ（Ｓ４）で、開脚Ｌ字型カム５５の作動腕５６にアクチュエータ５７が押圧されると、ホルダ１２およびこれと連動する押出部材１８が挿入待機位置にあることを示す信号を送出する。開脚Ｌ字型カム５５は、図示しない捩じりコイルバネによって図中時計方向に付勢されていて、作動腕５６は常時アクチュエータ５７を押圧する位置にある。シフトプレートの作動突起５８が操作腕５９に立設した作用ピン６０を押動すると作動腕５６が回動され、アクチュエータ５７が作動される。
【００２１】
次に本実施例によるカード状媒体の抜取防止機構の動作を説明する。カード１０が挿入されていない初期状態において、押出部材の作動腕２２はＬ字型カムの作用ピン４６から充分に離間した位置にある。また、シフトプレート２４は作動突起５８が作用ピン６０と係合し、開脚Ｌ字型カム５５をアクチュエータ５７の開放側に回動して、スイッチ（Ｓ４）５４より待機信号を送出するとともにモータ３１を停止状態に維持する。さらにプクテクトアーム３４の作動ピン３５は内側カム溝３７内に誘導され鈎爪部分３９を開放位置に保持する。ホルダ１２およびこれと連動する押出部材１８は、ホルダ１２とガイド１３との間の摩擦に拘束される以外は所定の範囲内で移動自在である。
【００２２】
ホルダ１２にカード１０を挿入し、コネクタ１１に押入して電気接点の接続を完了する。ホルダ１２は突出部１４がカードの挿入端縁１５に係合して、カード１０とともに移動される。このときホルダの作動軸１６が押出部材１８を回動し、Ｌ字型カムの作用ピン４６を押動してスイッチ（Ｓ１）４１を作動し、挿入完了を検知する。この時点では、ホルダ１２を拘束するのはホルダ側面のガイド１３およびホルダ１２の接続ピン孔に挿入されたコネクタの接点ピン６１（図３参照）との摩擦のみであるから、カード１０の挿脱は自由に行うことができる。
【００２３】
図示しない操作盤よりプロテクト信号を送って、スイッチ（Ｓ４）５４の接点を短絡しモータ３１を駆動する。モータ３１の駆動力を歯車列３２を介してピニオン３０よりラック２９に伝達してシフトプレート２４を図中矢印Ｐ方向に移動する。まずプロテクトアームの作動ピン３５が外側カム溝３８に誘導されて、鈎爪部分３９は閉鎖位置に回動する。図２の位置においてシフトプレートの段差部４９がアクチュエータ５０を押動してスイッチ（Ｓ２）４８を作動し、プロテクトアーム３４が機能したことを検知する信号を送出してモータ３１を停止させる。この状態ではプロテクトアーム３４の鈎爪部分３９がカードの後縁肩部４０に係合していることにより、カード１０の抜取りは不可能となる。
【００２４】
これよりカード１０の抜取りは電動で行われ、図示しない操作盤より排出信号を送るかまたはプログラムされた命令の実行により達成される。すなわちモータ３１を上記と逆方向に駆動してシフトプレート２４を図中矢印Ｒ方向に移動する。このときスイッチ（Ｓ４）５４に対しジャンパ回路を設定する。プロテクトアーム３４の作動ピン３５は内側カム溝３７に誘導され、鈎爪部分３９はカードの後縁肩部４０との係合を解いて、カード１０の経路外へ回動する。
【００２５】
そのままシフトプレート２４は進行を継続して駆動ピン２３が押出部材の作動腕２２を押動してスイッチ（Ｓ１）４１を開放するとともに長孔２０に係合する作動軸１６を連動させてホルダ１２を排出方向に向けて摺動する。この移動の途中においてシフトプレートの作動突起５８が作用ピン６０を一時的に押動して作動腕５６が回動しスイッチ（Ｓ４）５４を作動させるが、上記したようなジャンパ回路の設定により、この作動は電気的に無視されスイッチ（Ｓ４）５４にモータ停止作用はない。ホルダ１２の移動で突出部１４がカードの挿入側端縁１５に係合してカード１０をコネクタ１１の接点ピン６１から抜去り、手操作で容易に収納部から取り出せる位置まで排出する。
【００２６】
図３に示す位置においてシフトプレート２４の前縁部５２がアクチュエータ５３を押動してスイッチ（Ｓ３）５１を作動させる。スイッチ（Ｓ３）５１は、スイッチ（Ｓ４）５４に対するジャンパ回路を解除すると同時に、モータ３１を逆転させて再びシフトプレート２４を矢印Ｐ方向に移動する。シフトプレート２４の作動突起５８が操作腕５９に立設した作用ピン６０を押動して開脚Ｌ字型カム５５の作動腕５６がアクチュエータ５７開放側に回動して、スイッチ（Ｓ４）５４により待機信号を送出するとともにモータ３１を停止する。このときシフトプレート２４の駆動ピン２３は、押出部材１８の回動に全く干渉しない待機状態の位置にあるようにする。待機位置にある駆動ピン２３ａ、開脚Ｌ字型カム５５ａ、作動突起５８ａおよびカム溝３３ａを図３に２点鎖線で示す。
【００２７】
本実施例では、主動プロテクトアーム３４と相対する側に従動プロテクトアーム６２を設けて、主動プロテクトアーム３４の作動ピン３５を支軸とし、図示しない装置フレームに設けた直線溝６３に案内される中継ピン６４を介して連結されるリンク６５，６６により、主動プロテクトアーム３４と同様の動きをさせるようにした。このとき、従動プロテクトアーム６２は、主動プロテクトアーム３５に連動して支軸６８の周りに揺動し、鈎爪部分６９は主動プロテクトアームの鈎爪部分３９と同様に機能する。しかしながら従動プロテクトアーム６２の設置は、警戒意識の視覚的強調または美意識上の問題に依存するもので、プロテクト機能としては、主動プロテクトアーム３４のみで十分である。
【００２８】
また、本実施例では、バッテリ消耗等の電源トラブルや回路故障により電動機能が喪失した不測の事態においてカード１０が抜き取れるように、手動操作によるカード排出機構が設けられている。すなわち、ピニオン３０の回転軸７０は、ギヤ７１の回転軸７２と同軸に回動可能なアーム７３に立設され、アーム７３の先端に立設したピン７４を揺動することにより、ピニオン３０とラック２９の噛合を解除することができる。７５は捩じりコイルバネで、ピニオン３０とラック２９を噛合状態に復帰させる方向にアーム７３を付勢している。
【００２９】
通常、ピン７４はフック７６により所定位置に係止されているので、ピニオン３０とラック２９との噛合は正常に保たれ駆動力は支障なく伝達される。レバー７７は矢印Ｋ方向に摺動可能に直線案内されており、復帰用引張りコイルバネ７８により矢印Ｋ方向とは逆の方向に付勢されている。コイルバネ７８の付勢力に抗して手動でレバー７７を矢印Ｋ方向に移動させることにより、フック７６の係止が解除され、ピン７４は斜面７９に沿って面８０へ移動する。ピン７４のこの移動により、ピニオン３０とラック２９との噛合が解かれ、シフトプレート２４は拘束を受けない状態となる。
【００３０】
レバー７７のさらなる押動によりレバーに設けた段差部８１がシフトプレートの段差部４９に当接してシフトプレート２４を押動するから、駆動ピン２３が作動腕２２に係合して押出部材１８を回動し、作動軸１６によりホルダ１２とともにカード１０を排出方向に移動させることができる。しかしながら、図示しない機構によりレバー７７へのアクセスは、専従者のみが可能であるように配慮されている。
【００３１】
図４〜図６は本発明に係わるカード状媒体の抜取防止機構の第２実施例について主要部分を示したものである。図４はカード２１０を手動操作によりコネクタ２１１に押入し、電気接点の接続を完了した状態を示す。２１２はカード２１０を受容するホルダで、カード収納部に設けたガイド２１３に沿って摺動する。２１４はホルダ２１２の内部に突出してカード２１０の挿入側端縁２１５と係合するようにホルダの端部を折り曲げて立設した突出部である。
【００３２】
２１６はホルダ２１２の片面に固設した作動軸で、押出部材２１８に設けた窓２１９内に突出し、窓の一辺２２０と係合可能である。押出部材２１８は支軸２１２の周りに回動自在である。２２９は支軸２２１に対向する円弧状周縁に形成した扇形ラックでピニオン２３０と噛合する。ピニオン２３０はモータ２３１により適当な歯車列２３２を介して駆動され、押出部材２１８はピニオン２３０の動きに応じて旋回する。
【００３３】
２２３ａ，２３３ｂはクランク状カム溝で、プロテクト部材を構成するプロテクトアーム２３４ａ，２３４ｂに立設された作動ピン２３５ａ，２３５ｂをそれぞれ案内する。プロテクトアーム２３４ａ，２３４ｂはそれぞれ支軸２３６ａ，２３６ｂの周りに回動自在であり、カム溝２３３ａ，２３３ｂ内の作動ピン２３５ａ，２３５ｂの位置により揺動され、作動ピン２３５ａ，２３５ｂが内側のカム溝２３７ａ，２３７ｂ内に位置するときは、カード２１０の通路は開放されており、外側のカム溝２３８ａ，２３８ｂ内に位置するときは、プロテクトアーム２３４ａ，２３４ｂの鈎爪部分２３９ａ，２３９ｂがカード２１０の後縁肩部２４０に係合して、カード２１０の抜取りを阻止する。
【００３４】
２４１はスイッチ（Ｓ１）で、アクチュエータ２４２がレバー２４３の作動腕２４４で押圧されると、カード２１０の装着完了信号を送出する。レバー２４３は、作動腕２３４の反対側端部に設けた切り込み２４５に作動軸２１６が嵌挿され、ホルダ２１２の動きに連動し、ホルダ２１２がカード２１０とともに装着完了位置に移動したとき、作動腕２４４はアクチュエータ２４２を作動する。
【００３５】
２４８はスイッチ（Ｓ２）で、押出部材２１８の一方の截辺２４９が開脚Ｌ字型カム２２５の操作腕２４７と係合して作動腕２４６を回動させ、アクチュエータ２５０を押動することによりプロテクトアーム２３４ａ，２３４ｂが機能中であることを検知する。開脚Ｌ字型カム２２５は図示しない捩じりコイルバネによって、常時反時計方向に付勢されており、作動腕２４６は、アクチュエータ２５０から離間した位置に保持されている。
【００３６】
２５１はスイッチ（Ｓ３）で、押出部材２１８の他方の截辺２５２でアクチュエータ２５３が押動されると、カード２１０の排出完了信号を送出する。２５４はスイッチ（Ｓ４）で、開脚Ｌ字型カム２５５の作動腕２５６からアクチュエータ２５７が解放されると、ホルダ２１２およびこれと連動する押出部材２１８が挿入待機位置にあることを示す信号を送出する。開脚Ｌ字型カム２５５は、図示しない捩じりコイルバネによって図中時計方向に付勢されていて、作動腕２５６は常時アクチュエータ２５７を押圧する位置にある。押出部材に立設した作動ピン２５８が操作腕２５９を押動すると作動腕２５６が回動して、アクチュエータ２５７を解放する（図４参照）。
【００３７】
次に本実施例によるカード状媒体の抜取防止機構の動作を説明する。カード２１０が挿入されていない初期状態において、ホルダ２１２は収納部のカード挿入側近くに位置しており、作動軸２１６は窓２１９の係合辺２２０の対向辺２２２の近傍に位置し、レバー２４３の作動腕２４４はアクチュエータ２４２から十分に離間した位置に保持される。また、押出部材２１８は作動ピン２５８が操作腕２５９と係合し、開脚Ｌ字型カム２５５をアクチュエータ２５７の解放側に回動して、スイッチ（Ｓ４）２５４より待機信号を送出するとともにモータ２３１を停止状態に維持する。さらにプロテクトアームの作動ピン２３５ａ，２３５ｂは内側カム溝２３７ａ，２３７ｂ内に誘導され鈎爪部分２３９ａ，２３９ｂを解放位置に保持する。ホルダ２１２はガイド２１３との間の摩擦に拘束される以外は窓２１９の範囲内で移動自在である。
【００３８】
ホルダ２１２にカード２１０を挿入し、コネクタ２１１に押入して電気接点の接続を完了する。ホルダ２１２は突出部２１４がカードの挿入端縁２１５に係合して、カード２１０とともに移動される。このときホルダ２１２の作動軸２１６は押出部材２１８の窓２１９の係合辺２２０に接する位置に移動し、レバー２４３の作動腕２４４がアクチュエータ２４２を押動してスイッチ（Ｓ１）２４１を作動し、挿入完了を検知する。この時点では、ホルダ２１２を拘束するのはホルダ側面のガイド２１３およびカード２１０の接続ピン孔に挿入されたコネクタの接点ピン２６１（図６参照）との摺接摩擦力のみであるから、手動操作による強制力でカード２１０の挿脱は自由に行うことができる。
【００３９】
図示しない操作盤よりプロテクト信号を送るか別設のプログラムによって、スイッチ（Ｓ４）２５４の接点を短絡しモータ２３１を駆動する。モータ２３１の駆動力を歯車列２３２を介してピニオン２３０よりラック２２９に伝達して押出部材２１８を図中矢印Ｐ２方向に移動する。まずプロテクトアーム２３４ａ，２３４ｂの作動ピン２３５ａ，２３５ｂがそれぞれ外側カム溝２３８ａ，２３８ｂに誘導されて、鈎爪部分２３９ａ，２３９ｂは閉鎖位置に回動する。
【００４０】
図５の位置において押出部材の截辺２４９が開脚Ｌ字型カム２２５の操作腕２４７と係合して作動腕２４６を回動させ、アクチュエータ２５０を押動してスイッチ（Ｓ２）２４８を作動し、プロテクトアーム２３４ａ，２３４ｂが機能したことを検知する信号を送出してモータ２３１を停止させる。この状態では両プロテクトアームの鈎爪部分２３９ａ，２３９ｂがカードの後縁肩部２４０に係合していることにより、カード２１０の抜取りは不可能となる。
【００４１】
これよりカード２１０の抜取りは電動で行われ、図示しない操作盤より排出信号を送るかまたはプログラムされた命令の実行により達成される。すなわちモータ２３１を上記と逆方向に駆動して押出部材２１８を図中矢印Ｒ２方向に回動する。このときスイッチ（Ｓ４）２５４に対しジャンパ回路を設定する。プロテクトアームの各作動ピン２３５ａ，２３５ｂは内側カム溝２３７ａ，２３７ｂにそれぞれ誘導され、鈎爪部分２３９ａ，２３９ｂはカードの後縁肩部２４０との係合を解いて、カード２１０の経路外へ回動する。
【００４２】
そのまま押動部材２１８は回動を継続して窓の係合辺２２０がホルダの作動軸２１６を押動してホルダ２１２を排出方向に向けて摺動するとともに、切り込み２４５により係合するレバー２４３に連動してスイッチ（Ｓ１）２４１を開放する。この移動の途中において押出部材の作動ピン２５８が操作腕２５９と係合し、スイッチ（Ｓ４）２５４を作動させるが、上記したようなジャンパ回路の設定により、この作動は電気的に無視され、スイッチ（Ｓ４）２５４にモータ停止作用はない。ホルダ２１２の移動により、ホルダの突出部２１４がカードの挿入側端縁２１５に係合してカード２１０をコネクタ２１１の接点ピン２６１から抜取り、手動操作で容易に収納部から取り出せる位置まで排出する。
【００４３】
図６に示す位置において押出部材の截辺２５２がアクチュエータ２５３を押動してスイッチ（Ｓ３）２５１を作動させる。スイッチ（Ｓ３）２５１は、スイッチ（Ｓ４）２５４に対するジャンパ回路を解除すると同時にモータ２３１を逆転させて再び押出部材２１８を矢印Ｐ２方向に回動する。押出部材の作動ピン２５８が操作腕２５９と係合し、開脚Ｌ字型カム２５５の作動腕２５６がアクチュエータ２５７開放側に回動して、スイッチ（Ｓ４）２５４より待機信号を送出するとともにモータ２３１を停止する。このとき押出部材２１８は、窓２１９の係合辺２２０が作動軸２１６の移動に全く干渉しない待機状態の位置（図４参照）まで回動して維持される。
【００４４】
本実施例では、押出部材２１８に第１実施例の押出部材１８とシフトプレート２４との両方の機能を持たせて部品数を削減した。さらに押出部材２１８に２つのカム溝２３３ａ，２３３ｂ設けて、同時に２つのプロテクトアームを直接駆動できるようにしたが、第１実施例の記載と同様の理由により、機能的にはプロテクトアームは１つでもよいことは明らかである。
【００４５】
また、本実施例では、第１実施例と同様の不測の事態においてカード２１０が抜き取れるように、手動操作によるカード排出機構が設けられている。すなわち、ピニオン２３０の回転軸２７０は、ギヤ２７１の回転軸２７２と同軸に回動可能なアーム２７３に立設され、回転軸２７０を揺動することにより、ピニオン２３０とラック２２９の噛合を解除することができる。２７５は捩じりコイルバネで、ピニオン２３０とラック２２９を噛合状態に復帰させる方向にアーム２７３を付勢している。
【００４６】
通常、回転軸２７０はフック２７６により所定位置に係止されているので、ピニオン２３０とラック２２９との噛合は正常に保たれ駆動力は支障なく伝達される。レバー２７７は矢印Ｋ２方向に摺動可能に直線的に案内されており、復帰用引張りコイルバネ２７８により矢印Ｋ２方向とは逆の方向に付勢されている。例えば、図示しない特殊工具でレバー２７７に設けた小穴２８２を把持し、コイルバネ２７８の付勢力に抗して手動でレバー２７７を矢印Ｋ方向に移動させることにより、フック２７６の係止が解除され、回転軸２７０は斜面２７９に沿って面２８０へ移動する。回転軸２７２のこの移動により、ピニオン２３０とラック２２９との噛合が解かれ、押出部材２１８は拘束を受けない状態となる。
【００４７】
レバー２７７のさらなる押動によりレバー２７７に立設したピン２８１が第１リンク２８３に係合して固定軸２８４の周りに回動し、第１リンク２８３は押出部材２１８との間を回動自在に連結する第２リンク２８５を介して押出部材２１８を回動し、係合辺２２０で作動軸２１６を押動してホルダ２１２とともにカード２１０を排出方向に移動させることができる。しかしながら、図示しない機構によりレバー２７７へのアクセスは、専従者のみが可能であるように配慮されている。
【００４８】
次に、本発明に係わるカード状媒体の抜取防止機構の第３実施例について図７〜図１０に基づいて説明する。電動による駆動系の図示は複雑化を避けるため図７に概略を示すにとどめ、図７のＸ−Ｘ線に沿った側面図を図１０に拡大図示する。また、図８には非常用の手動排出機構が概略図示してある。図７はカード３１０を手動操作によりコネクタ３１１に押入し、電気接点の接続を完了した状態を示す。３１２は固定軸３１７に枢支され所定の範囲内で回動可能な押出部材で、カード３１０と係合する突出部３１４がカード３１０の挿入側端縁３１５と係合するように押出部材３１２の端部を折り曲げて立ち上げてある。
【００４９】
３１６は押出部材３１２の一端に固設した作動軸で、シフトプレート３２４に設けた窓３１９内に突出し、窓の一辺３２０と係合可能である。シフトプレート３２４は支軸３２１の周りに回動自在である。３２９は支軸３２１に対向する円弧状周縁に形成した扇形ラックで、ピニオン３３０と噛合する。ピニオン３３０はモータ３３１により適当な歯車列３３２を介して駆動され、シフトプレート３２４はピニオン３３０の動きに応じて旋回する。
【００５０】
３３３はクランク状カム溝で、プロテクト部材を構成するプロテクトアーム３３４に立設された作動ピン３３５を案内する。プロテクトアーム３３４は支軸３３６の周りに回動自在で、カム溝３３３内の作動ピン３３５の位置により揺動され、作動ピン３３５が内側のカム溝３３７内に位置するときは、カード３１０の通路は開放されており、外側のカム溝３３８内に位置するときは、プロテクトアーム３３４の鈎爪部分３３９がカード３１０の後縁肩部３４０に係合して、カード３１０の抜取りを阻止する。
【００５１】
３４１はスイッチ（Ｓ１）で、アクチュエータ３４２が押出部材３１２の縁３４４で押圧されると、カード３１０の装着完了信号を送出する。３４８はスイッチ（Ｓ２）で、シフトプレート３２４の一方の作用片３４９がアクチュエータ３５０を押動することによりプロテクトアーム３３４が機能中であることを検知する。３５１はスイッチ（Ｓ３）で、シフトプレート３２４の他方の作用片３５２でアクチュエータ３５３が押動されると、カード３１０の排出完了信号を送出する。
【００５２】
３５４はスイッチ（Ｓ４）で、開脚Ｌ字型カム３５５の作動腕３５６からアクチュエータ３５７が解放されると、シフトプレート３２４が挿入待機位置にあることを示す信号を送出する。開脚Ｌ字型カム３５５は、図示しない捩じりコイルバネによって図中時計方向に付勢されていて、作動腕３５６は常時アクチュエータ３５７を押圧する位置にある。シフトプレート３２４の作動操作片３５８が開脚Ｌ字型カム３５５の操作腕３５９に立設した作用ピン３６０を押動すると作動腕３５６が回動して、アクチュエータ３５７が作動される（図７参照）。
【００５３】
次に本実施例によるカード状媒体の抜取防止機構の動作を説明する。カード３１０が挿入されていない初期状態において、押出部材３１２はその回動範囲において収納部のカード挿入側に位置しており、作動軸３１６は窓３１９の係合辺３２０の対向辺３２２の近傍に位置し、押出部材３１２の縁辺３４４はアクチュエータ３４２の弾性反発力によってスイッチ（Ｓ１）３４１の不作動位置に保持されている。
【００５４】
また、シフトプレート３２４は作動操作片３５８が操作腕の作用ピン３６０と係合し、開脚Ｌ字型カム３５５をアクチュエータ３５７の開放側に回動して、スイッ（Ｓ４）３５４より待機信号を創出するとともにモータ３３１を停止状態に維持する。さらにプロテクトアーム３３４の作動ピン３３５は内側カム溝３３７内に誘導され鈎爪部分３３９を開放位置に保持する。押出部材３１２は、固定軸３１７との回動摩擦力およびアクチュエータ３４２の弾性反発力に影響を受ける以外は窓３１９の範囲内で移動自在である。
【００５５】
カード３１０をフレームガイド３１３に沿って挿入し、コネクタ３１１に押入して電気接点の接続を完了する。押出部材３１２は突出部３１４がカードの挿入端縁３１５に係合して、カード３１０の移動に応じて回動される。このとき押出部材の作動軸３１６はシフトプレート３２４の窓３１９の係合辺３２０に接する位置に移動し、押出部材３１２の縁辺３４４がアクチュエータ３４２を押動してスイッチ（Ｓ１）３４１を作動し、挿入完了を検知する。この時点では、押出部材３１２を拘束するのは固定軸３１７との回動摩擦力およびカード３１０の接続ピン孔に挿入されたコネクタの接点ピン３６１（図９参照）との摺接摩擦力のみであるから、手動操作による強制力でカード３１０の挿脱は自由に行うことができる。
【００５６】
図示しない操作盤よりプロテクト信号を送るか別設のプログラムによって、スイッチ（Ｓ４）３５４の接点を短絡しモータ３３１を駆動する。モータ３３１の駆動力を歯車列３３２を介してピニオン３３０よりラック３２９に伝達してシフトプレート３２４を図中矢印Ｐ３方向に移動する。まずプロテクトアーム３３４の作動ピン３３５が外側カム溝３３８に誘導されて、鈎爪部分３３９は閉鎖位置に回動する。図８の位置においてシフトプレート３２４の作用片３４９がアクチュエータ３５０を押動してスイッチ（Ｓ２）３４８を作動し、プロテクトアーム３３４が機能したことを検知する信号を送出してモータ３３１を停止させる。この状態ではプロテクトアームの鈎爪部分３３９がカードの後縁肩部３４０に係合していることにより、カード３１０の抜取りは不可能となる。
【００５７】
これよりカード３１０の抜取りは電動で行われ、図示しない操作盤より排出信号を送るかまたはプログラムされた命令の実行により達成される。すなわちモータ３３１を上記と逆方向に駆動してシフトプレート３２４を図中矢印Ｒ３方向に回動する。このとき、スイッチ（Ｓ４）３５４に対しジャンパ回路を設定する。プロテクトアーム３３４の作動ピン３３５は内側カム溝３３７内に誘導され、鈎爪部分３３９はカードの後縁肩部３４０との係合を解いて、カード３１０の経路外へ回動する。そのままシフトプレート３２４は回動を継続して窓の係合辺３２０が押出部材の作動軸３１６を押動して押出部材３１２を排出部材３１２を排出方向に向けて摺動するとともにスイッチ（Ｓ１）３４１を開放する。
【００５８】
この移動の途中において、シフトプレート３２４の作動操作片３５８が操作腕の作用ピン３６０と係合し、スイッチ（Ｓ４）３５４を作動させるが、上記したようなジャンパ回路の設定により、この作動は電気的に無視され、スイッチ（Ｓ４）３５４にモータ停止作用はない。一方、押出部材３１２の移動で突出部３１４がカード３１０の挿入側端縁３１５に係合して、カード３１０をコネクタ３１１の接点ピン３６１から引き抜き、手動操作で容易に収納部から取り出せる位置まで排出する。
【００５９】
図９に示す位置においてシフトプレート３２４の作用片３５２がアクチュエータ３５３を押動してスイッチ（Ｓ３）３５１を作動させる。スイッチ（Ｓ３）３５１は、スイッチ（Ｓ４）３５４に対するジャンパ回路を解除すると同時に、モータ３３１を逆転させて再びシフトプレート３２４を矢印Ｐ３方向に回動する。シフトプレート３２４は作動操作片３５８が操作腕の作用ピン３６０と係合し、開脚Ｌ字型カム３５５をアクチュエータ３５７の開放側に回動して、スイッチ（Ｓ４）３５４より待機信号を送出するとともにモータ３３１を停止する。このときシフトプレート３２４の窓の係合辺３２０が作動軸２１６の移動に全く干渉しない待機状態の位置（図７参照）まで回動して維持される。
【００６０】
本実施例では、カード３１０に対するホルダを省略したので、第１実施例より部品数が削減された。またプロテクトアーム３３４は片側にしか設けてないが、第１および第２実施例に適用したいずれかの手段により、プロテクトアーム３３４を両側に設けることが可能である。
【００６１】
また、本実施例では、上記第１および第２実施例と同様の不測の事態においてカード３１０が抜き取れるように、手動操作によるカード排出機構が設けられている。すなわち、図１０に示されるようにピニオン３３０は回転軸３７０と一体に回転するとともに軸方向に摺動可能に装着され、圧縮コイルバネ３７５によって軸端方向（図中上下方向）に付勢されている。本実施例では、摺動可能な周り止めとして、回転軸３７０とピニオン３３０の嵌合部分を四角柱に形成したが、滑りキーやスプラインを適用することもできる。側縁に直線ラック３７６を設けたレバー３７７はシフトプレート３２４と同一平面上で矢印Ｋ３方向に摺動可能に直線案内されており、復帰用引張りコイルバネ３７８により矢印Ｋ３方向とは逆の方向に付勢されている。
【００６２】
通常、ピニオン３３０は圧縮コイルバネ３７５によって所定位置に保持されて扇形ラック３２９との噛合を正常に保つので駆動力は支障なく伝達される。一方、レバー３７７の中央部分に長手方向に設けた長孔３８０の、回転軸３７０に沿って移動する両側縁３８１は先端が楔状斜面３７９となっており、ピニオン３３０のボス３８３とカラー３８４との間に強制的に挾入させることができる。
【００６３】
例えば図示しない特殊工具でレバー３７７に設けた小孔３８２を把持し、コイルバネ３７８の付勢力に抗して手動でレバー３７７を矢印Ｋ方向に移動させることにより、圧縮コイルバネ３７５の付勢力に抗して、ピニオン３３０は楔状斜面３７９によりレバー３７７の板厚分だけ押し下げられる。このため、シフトプレート３２４の扇形ラック３２９はピニオン３３０との噛合が解かれ、代わりにレバー３７７のラック３７６と噛合する。
【００６４】
従って、レバー３７７のさらなる押動により、シフトプレート３２４を回動させることができ、係合辺３２０で作動軸３１６を押動して押出部材３１２とともにカード３１０を排出方向に移動させることができる。しかしながら、上記第１および第２実施例同様に図示しない機構によりレバー３７７へのアクセスは、専従者のみが可能であるように配慮されている。
【００６５】
さらに、図１０に示す電動駆動系は、２重に構成したカード収納部に適用されるものである。このように、最終出力段であるピニオン３３０を収納部側縁の中央部分に配置したので、電動駆動系を収納部の片側にまとめることができ、コンパクトな構成が可能となる。すなわち、図中でＡを添字した符号は図中上方に設けたカード収納部３９０Ａの駆動系であり、図中でＢを添字した符号は図中下方に設けたカード収納部３９０Ｂの駆動系である。この構成は第１および第２実施例についても同様に構成することが可能である。
【００６６】
【発明の効果】
以上説明した通り、本発明に係わるカード状媒体の抜取防止機構は、プロテクト部材を電動操作で閉成し収納部に挿入したカード状媒体の外部への移動を阻止したので、アクセス中には排出不能となり、カード状媒体の内容を破損することが防止できる。またソフトウエアによる電気的操作が可能であるから、盗難が予防できる。さらに、排出を電動で行うようにしたので、排出操作時に無理がかからないから電気接点の損傷を抑制できる。
【００６７】
一方、手動挿入操作と電動排出操作の係合は押出方向のみであるからプロテクト操作しなければ手動による挿脱は自由に行うことができる。その上、電動出力のピニオンをカード収納部の側縁中央部分に配設したことにより、電動駆動機構を収納部の片側だけで前後に相対して配置することが容易であり、限られた領域でカード収納部を２重構造に構成して２個のカードを個別に支配することができ、しかもコンパクトな構成が可能となる。
【図面の簡単な説明】
【図１】本発明に係わるカード状媒体の抜取防止機構の第１実施例におけるカード装着状態を示す平面図である。
【図２】本発明に係わるカード状媒体の抜取防止機構の第１実施例におけるプロテクタ作動状態を示す平面図である。
【図３】本発明に係わるカード状媒体の抜取防止機構の第１実施例におけるカード排出状態を示す平面図である。
【図４】本発明に係わるカード状媒体の抜取防止機構の第２実施例におけるカード装着状態を示す平面図である。
【図５】本発明に係わるカード状媒体の抜取防止機構の第２実施例におけるプロテクタ作動状態を示す平面図である。
【図６】本発明に係わるカード状媒体の抜取防止機構の第２実施例におけるカード排出状態を示す平面図である。
【図７】本発明に係わるカード状媒体の抜取防止機構の第３実施例におけるカード装着状態を示す平面図である。
【図８】本発明に係わるカード状媒体の抜取防止機構の第３実施例におけるプロテクタ作動状態を示す平面図である。
【図９】本発明に係わるカード状媒体の抜取防止機構の第３実施例におけるカード排出状態を示す平面図である。
【図１０】図８のＸ−Ｘ線に沿った側面の拡大図である。
【図１１】本発明に係わるカード状媒体の抜取防止機構の作動過程を検知するスイッチのフローチャートである。
【符号の説明】
１０  カード
１２  ホルダ
１４  突出部
１６  作動軸
１８  押出部材
２１  支軸
２３  駆動ピン
２４  シフトプレート
２９  ラック
３０  ピニオン
３１  モータ
３２  歯車列
３３  カム溝
３４  プロテクトアーム
３５  作動ピン
３９  鈎爪部分
４１  カード装着検知スイッチ（Ｓ１）
４８  プロテクト機能検知スイッチ（Ｓ２）
５１  カード排出検知スイッチ（Ｓ３）
５４  モータ停止待機スイッチ（Ｓ４）
【図１】
0003606945.tif 000002
【図２】
0003606945.tif 000003
【図３】
0003606945.tif 000004
【図４】
0003606945.tif 000005
【図５】
0003606945.tif 000006
【図６】
0003606945.tif 000007
【図７】
0003606945.tif 000008
【図８】
0003606945.tif 000009
【図９】
0003606945.tif 000010
【図１０】
0003606945.tif 000011
【図１１】
0003606945.tif 000012